(57)【要約】【課題】  設置スペースの確保を容易にさせるために、コンベヤ装置を勾配を持って設置させた場合でも、被搬送物としての湿状混練物が摺り落ちるのを防止し、その湿状混練物を上り勾配で確実に搬送させることでき、また、湿状混練物が付着し固化硬化したとしても、この混練物をコンベヤの運転に伴い自動的に剥ぎ落すことができるようにしたコンベヤ装置の提供。【解決手段】  スプロケット１１，１２間に懸架された左右の回動チェーン１３，１３と、この左右の回動チェーン間に一定間隔毎に架設された受け板２１と、各受け板間に渡された屈曲可能なベルト部材２２とを備え、前記受け板２１とベルト部材２２が交互に配設された無端帯状体２が前記左右の回動チェーン間に取り付けられている。【選択図】  図１
2008247500.tif 000002
【特許請求の範囲】
【請求項１】
スプロケット（１１），（１２）間に懸架された左右の回動チェーン（１３），（１３）と、この左右の回動チェーン（１３），（１３）間に一定間隔毎に架設された受け板（２１）と、各受け板（２１），（２１）間に渡された屈曲可能なベルト部材（２２）とを備え、
前記受け板（２１）とベルト部材（２２）が交互に配設された無端帯状体（２）が前記左右の回動チェーン（１３），（１３）間に取り付けられていることを特徴とするコンベヤ装置。
【発明の詳細な説明】
【技術分野】
【０００１】
本発明は、コンベヤ装置に関し、主にゴミ焼却炉で発生した焼却飛灰と水と薬剤を混練させた湿状混練物を被搬送物として搬送するために用いられるコンベヤ装置に関する。
【背景技術】
【０００２】
ゴミ焼却炉では、焼却飛灰に含まれる重金属等を閉じ込めるため、その焼却飛灰と水と薬剤（キレート剤やセメント）を混練させて湿状混練物にさせ、これをコンベヤ装置上で養生固化させながら排出させるようにしている。
このような湿状混練物の搬送に使用するコンベヤ装置として、従来は平ベルトコンベヤが一般に用いられていた（特許文献１参照）。
【０００３】
通常、湿状混練物の養生固化には所定の時間（３０分〜６０分）がかかるため、その搬送手段に平ベルトコンベヤを用いると、この平ベルトコンベヤを長大化させる必要が生じる。
【０００４】
ところで、既存施設における焼却飛灰の処分の際は、敷地制約のため、十分な設置スペースを確保したコンベヤの配置が困難であり、勾配を有するコンベヤ装置を用いて湿状混練物を養生固化させながら搬送せざるを得ない状況となる。
【０００５】
又、湿状混練物は、その湿気によってベルトコンベヤのベルトに付着し易く、これが固化硬化して、徐々に堆積してしまうという事態が生じる。
このように湿状混練物がベルトコンベヤのベルトに付着し固化硬化した場合でもベルトコンベヤにあっては、ベルトが端部で反転する際の湾曲移行によって、表面に付着した混練物が自然に剥げ落ち、付着した混練物を自動的に除去できるというメリットがある。
【０００６】
しかしながら、上記したように設置スペースの関係で、コンベヤ装置を勾配を持たせて設置せざるを得ないため、その勾配によってベルト上に載置した湿状混練物が下方に摺り落ちることがある。
これを防止するためには、湿状混練物を下側から支えるための受け板をベルト上に設ける必要があり、従来の平ベルトコンベヤをそのままで使用することができないという問題があった。
【特許文献１】特許公開２００３−３３４５１１号公報
【発明の開示】
【発明が解決しようとする課題】
【０００７】
本発明は、設置スペースの確保を容易にさせるために、コンベヤ装置を勾配を持って設置させた場合でも、被搬送物としての湿状混練物が摺り落ちるのを防止し、その湿状混練物を上り勾配で確実に養生固化させながら搬送させることでき、また、湿状混練物が付着し固化硬化したとしても、この混練物をコンベヤの運転に伴い自動的に剥ぎ落すことができるようにしたコンベヤ装置を提供することを課題としている。
【課題を解決するための手段】
【０００８】
上記の課題を解決するために、本発明のコンベヤ装置は、
スプロケット（１１），（１２）間に懸架された左右の回動チェーン（１３），（１３）と、この左右の回動チェーン（１３），（１３）間に一定間隔毎に架設された受け板（２１）と、各受け板（２１），（２１）間に渡された屈曲可能なベルト部材（２２）とを備え、
前記受け板（２１）とベルト部材（２２）が交互に配設された無端帯状体（２）が前記左右の回動チェーン（１３），（１３）間に取り付けられている構成とした。
【０００９】
なお、上記カッコ内の符号は、後述する実施例に記載した具体的手段との対応関係を示すものである。
【発明の効果】
【００１０】
本発明のコンベヤ装置は、左右の回動チェーン間に無端帯状体が取り付けられ、この無端帯状体が、左右の回動チェーン間に一定間隔毎に架設された受け板と、各受け板間に渡された屈曲可能なベルト部材が交互に配設されて形成されたものである。
【００１１】
従って、本発明のコンベヤ装置では、左右の回動チェーンによって無端帯状体を移行させる駆動方式となるため、ベルトコンベヤのようなベルトの滑りが生じることがなく、被搬送物（湿状混練物）を無端帯状体の上に載置した状態で、確実に搬送させることができる。
【００１２】
又、無端帯状体が受け板とベルト部材を交互に配設させたものであるため、上り勾配であっても被搬送物を受け板で下側から支えることができ、被搬送物が勾配によって摺り落ちるのを受け止めて確実に搬送させることができる。
【００１３】
又、被搬送物が湿状混練物であった場合、この湿状混練物がベルト部材に付着し固化硬化したとしても、回動チェーンの駆動に伴い無端帯状体が端部のスプロケット部分を反転する際の湾曲移行によって湿状混練物がベルト部材の表面から自然に剥がれ落ちる。
これにより、湿状混練物がベルト部材の表面に付着し固化硬化するのを自動的に防止することができる。
【００１４】
即ち、本発明のコンベヤ装置は、ベルト表面に付着した混練物を、反転する際の湾曲移行によって自然に剥ぎ落とし、付着し固化硬化した混練物を自動的に除去できるというベルトコンベヤのメリットを活かすことができ、かつ設置スペースの確保を容易にさせるために、コンベヤ装置を勾配を持って設置させた場合でも、被搬送物としての湿状混練物が摺り落ちるのを防止し、その湿状混練物を上り勾配で確実に養生固化させながら搬送させることできる。
【発明を実施するための最良の形態】
【００１５】
図１は本発明のコンベヤ装置を示す側面断面図、図２はそのコンベヤ装置の部分平面図である。
【００１６】
本実施例のコンベヤ装置Ａは、ゴミ焼却炉の焼却飛灰を排出させるためのもので、焼却飛灰に水と薬剤（キレート剤やセメント）を混合させた湿状混練物を被搬送物とし、ケーシング９内に組み込まれている。
【００１７】
前記ケーシング９は、下端部上面に湿状混練物の投入口９１が形成され、下端部下面に湿状混練物の掻き出し口９２が形成され、上端部下面に湿状混練物の排出口９３が形成されたトンネル状に形成され、下端から上端に向けて上り勾配になるように一定の角度で傾斜して形成されている。
【００１８】
コンベヤ装置Ａは、上端に設けた駆動スプロケット１１と、下端に設けた従動スプロケット１２の間に左右の回動チェーン１３，１３が懸架され、この左右の回動チェーン１３，１３の間に無端帯状体２が取り付けられている。
この無端帯状体２は、左右の回動チェーン１３，１３間に一定間隔毎に架設された受け板２１と、各受け板２１，２１間に渡された屈曲可能なゴム製のベルト部材２２が交互に配設されて形成されたものである。
なお、前記受け板２１として、断面Ｔ字状型材を用いているが、断面Ｌ字状型材を用いてもよく、要は、受け板２１としては上り勾配に設けた無端帯状体２の上に載置された湿状混練物（被搬送物）を下側から支えて、湿状混練物が勾配によって摺り落ちるのを受け止めることができるものであればよい。
【００１９】
この場合、前記左右の回動チェーン１３，１３には、１つ置きのリンクプレートに内向きにブラケット１４，１４が突設されており、このブラケット１４，１４の上に隣り合うベルト部材２２，２２の端部を載置させると共に、このベルト部材２２，２２の端部同士に跨がるように受け板２１を重ねてボルト、ナット等により固定した取り付け構造となっている。
【００２０】
又、この実施例では、前記受け板２１に、数個置きにゴム製のスクレーパ２３が取り付けられ（全ての受け板２１にスクレーパ２３を取り付けてもよい）、このスクレーパ２３が前記ケーシング９の底壁面９４に接触しながら移行して、この底壁面９４上に落下した湿状混練物を下方に掻き下ろし、掻き出し口９２から排出させるようになっている。
【００２１】
このようなコンベヤ装置Ａにおいて、駆動モータ（図示省略）を駆動させると、駆動スプロケット１１の回転により左右の回動チェーン１３，１３が無端帯状体２を伴ってケーシング９内においてスプロケット１１，１２間を循環移行する。
従って、ケーシング９の投入口９１から湿状混練物が投入されると、この湿状混練物は上り勾配の無端帯状体２上に載置され、排出口９３に向けて搬送される。
このとき、受け板２１が設けられているため、上り勾配であっても湿状混練物を下側から支えることができ、湿状混練物を確実に搬送させることができる。
【００２２】
又、被搬送物としての湿状混練物がベルト部材２２に付着し固化硬化したとしても、無端帯状体２が上端部の駆動スプロケット１１部分及び下端部の従動スプロケット１２部分を反転する際の湾曲移行に伴い湿状混練物がベルト部材２２の表面から自然に剥がれ落ちる。
これにより、湿状混練物がベルト部材２２の表面に付着固化するのを自動的に防止することができる。
【００２３】
又、上り勾配の無端帯状体２が上端部において駆動スプロケット１１部分を反転移行したのち、下り勾配の無端帯状体２から湿状混練物がケーシング９の底壁面９４上に落下することがあるが、その湿状混練物は受け板２１に取り付けたスクレーパ２３によって下向きに掻き下ろされ、掻き出し口９２から排出される。
【００２４】
なお、本実施例では、湿状混練物を被搬送物としたが、これに限るものではなく、付着し易い粉体や粒体、土砂や泥等に好適に使用できる。
又、コンベヤ装置を単なる上り勾配に形成させたが、例えば、下端部及び上端部に水平移行部を形成させるなど、適宜の循環経路を形成することができる。
【図面の簡単な説明】
【００２５】
【図１】本発明のコンベヤ装置を示す側面断面図である。
【図２】そのコンベヤ装置の部分平面図である。
【符号の説明】
【００２６】
１１  駆動スプロケット
１２  従動スプロケット
１３  回動チェーン
１４  ブラケット
２  無端帯状体
２１  受け板
２２  ベルト部材
２３  スクレーパ
９  ケーシング
９１  投入口
９２  掻き出し口
９３  排出口
９４  底壁面
Ａ  コンベヤ装置
【図１】
2008247500.tif 000003
【図２】
2008247500.tif 000004